【手続補正書】
【提出日】平成29年6月15日(2017.6.15)
【手続補正１】
【補正対象書類名】特許請求の範囲
【補正対象項目名】全文
【補正方法】変更
【補正の内容】
【特許請求の範囲】
【請求項１】
流体が流通可能な孔（２５、６３、９１０）、及び、前記孔の周囲に形成される弁座（２６、６４、９１１）を有する弁ハウジング（２０、６０、９１）と、
前記弁ハウジングの内側に固定、または、前記弁ハウジングと一体に形成される筒状部材（３８、９３）と、
前記弁ハウジング内を往復移動可能に設けられ、前記弁座から離間または前記弁座に当接すると前記孔を開閉する弁部材（３０、７０、９２）と、
一端が前記弁部材に当接し、前記弁部材を閉弁方向または開弁方向に付勢可能な付勢部材（２８、８８、９４）と、
前記筒状部材に対して相対移動不能であって前記付勢部材の他端に当接するよう設けられる中間部材（５１、５６、６１、６６、７１、７６、８１、８６、９６）と、
前記中間部材の前記付勢部材とは反対側に当接するよう前記筒状部材の内側に圧入固定され、前記孔とは反対側と前記孔側とを連通する連通路（４００、５００、９５０）を有し、前記筒状部材に固定されたときの前記筒状部材に対する相対位置により前記中間部材を介して前記付勢部材の付勢力を調整可能な調整部材（４０、５０、９５）と、
前記中間部材と前記筒状部材との間に設けられ、前記孔を通る流体に接触すると膨張し前記中間部材と前記筒状部材とに当接可能な膨張部材（８７）と、
を備えることを特徴とする弁装置。
【請求項２】
前記中間部材は、前記孔とは反対側と前記孔側とを連通し流体が流通可能な連通孔（５１０、５６０、６１０、６６０、７１０、７６０、８１０、８６０、９６０）を有することを特徴とする請求項１に記載の弁装置。
【請求項３】
前記連通孔は、オリフィスであることを特徴とする請求項２に記載の弁装置。
【請求項４】
前記連通孔の前記孔とは反対側の内縁部は、前記孔側から前記孔とは反対側に向かうにつれて前記連通孔の中心軸（ＣＡ６１０）から離れる内縁斜面（６１１）を有することを特徴とする請求項２または３に記載の弁装置。
【請求項５】
前記調整部材は、外縁部に切り欠き状の前記連通路を有することを特徴とする請求項１から４のいずれか一項に記載の弁装置。
【請求項６】
前記弁部材と一体または別体に形成され、前記筒状部材の前記孔側に設けられ、前記弁部材と一体に前記弁ハウジング内を往復移動可能、または、前記弁部材に対して相対移動可能かつ前記弁ハウジング内を往復移動可能な可動コア（３７）と、
電力が供給されると前記可動コアを前記筒状部材側に吸引可能なコイル（３９）と、
をさらに備え、
前記可動コアが前記筒状部材側に吸引されると、前記弁部材が開弁方向に移動し前記孔が開く、または、前記弁部材が閉弁方向に移動し前記孔が閉じることを特徴とする請求項１から５のいずれか一項に記載の弁装置。
【請求項７】
前記中間部材は、少なくとも一部が前記付勢部材の内側に位置するよう前記孔側に突出する一方側突部（６６２）を有することを特徴とする請求項１から６のいずれか一項に記載の弁装置。
【請求項８】
前記中間部材は、前記孔とは反対側に突出する他方側突部（７１２、７６２、８１２）を有することを特徴とする請求項１から７のいずれか一項に記載の弁装置。
【請求項９】
前記他方側突部の前記孔とは反対側の外縁部は、前記孔側から前記孔とは反対側に向かうにつれて前記他方側突部の中心軸（ＣＡ７６２）に近づく外縁斜面（７６６）を有することを特徴とする請求項８に記載の弁装置。
【請求項１０】
前記他方側突部（８１２）は、前記調整部材の前記孔側の端面（４０１）と前記中間部材とが当接した状態で前記調整部材の前記孔とは反対側の端面（４０２）から突出するよう形成されていることを特徴とする請求項８または９に記載の弁装置。
【請求項１１】
請求項１から１０のいずれか一項に記載の弁装置が備える前記付勢部材の付勢力を調整可能な弁装置の製造装置（４１、４３、４４、４５）であって、
前記中間部材に当接可能に設けられる第一治具（４１１、４３１、４４１、４５１）と、
前記調整部材に当接可能に設けられ、前記筒状部材に圧入されている前記調整部材を前記孔側に押し込み可能な第二治具（４１２、４５２）と、
前記中間部材から前記第一治具に作用する作用力に基づいて前記付勢部材の付勢力を検出する検出部（４１５）と、
前記検出部が検出する前記付勢部材の付勢力に基づいて、前記付勢部材の付勢力が所定の付勢力となるときの調整部材セット位置を算出する算出部（４１６）と、
前記算出部が算出する前記調整部材セット位置に前記調整部材が位置するよう前記第二治具による前記調整部材の押し込みを制御する制御部（４１７）と、
を備える弁装置の製造装置。
【請求項１２】
請求項１から１０のいずれか一項に記載の弁装置が備える前記付勢部材の付勢力を調整可能な弁装置の製造装置（４２）であって、
前記中間部材に当接可能に設けられる第一治具（４１１）と、
前記調整部材に当接可能に設けられ、前記筒状部材に圧入されている前記調整部材を前記孔側に押し込み可能な第二治具（４１２）と、
前記中間部材から前記第一治具に作用する作用力に基づいて前記付勢部材の付勢力を検出する検出部（４１５）と、
前記検出部が検出する前記付勢部材の付勢力に基づいて、前記付勢部材の付勢力が所定の付勢力となるときの前記中間部材の前記筒状部材に対する相対位置である中間部材セット位置を記憶する記憶部（４２６）と、
前記記憶部が記憶する前記中間部材セット位置に前記中間部材が位置するよう、前記第二治具による前記調整部材の押し込みを制御する制御部（４１７）と、
を備える弁装置の製造装置。
【請求項１３】
前記第一治具と前記第二治具とは一体に形成されていることを特徴とする請求項１１または１２に記載の弁装置の製造装置。
【請求項１４】
前記第一治具の前記中間部材側の端部の外縁部は、前記中間部材側から前記中間部材とは反対側に向かうにつれて前記第一治具の中心軸から離れる先端斜面（４３２）を有することを特徴とする請求項１１から１３のいずれか一項に記載の弁装置の製造装置。
【請求項１５】
前記第一治具の前記中間部材に当接可能な端部の外壁（４４２）は、球面状に形成されていることを特徴とする請求項１１から１３のいずれか一項に記載の弁装置の製造装置。
【請求項１６】
前記第一治具の前記中間部材側の端面（４５３）と前記第二治具の前記調整部材側の端面（４５４）とは同一平面上に位置することを特徴とする請求項１１から１３のいずれか一項に記載の弁装置の製造装置。
【手続補正２】
【補正対象書類名】明細書
【補正対象項目名】０００６
【補正方法】変更
【補正の内容】
【０００６】
本発明は、弁装置であって、弁ハウジング、筒状部材、弁部材、付勢部材、中間部材、調整部材、及び、膨張部材を備える。
弁ハウジングは、流体が流通可能な孔及び孔の周囲に形成される弁座を有する。
筒状部材は、弁ハウジングの内側に固定または弁ハウジングと一体に形成される。
弁部材は、弁ハウジング内を往復移動可能に設けられ弁座から離間または弁座に当接すると孔を開閉する。
付勢部材は、一端が弁部材に当接し弁部材を閉弁方向または開弁方向に付勢可能である。
中間部材は、筒状部材に対して相対移動不能であって付勢部材の他端に当接するよう設けられる。
調整部材は、中間部材の付勢部材とは反対側に当接するよう筒状部材の内側に圧入固定され孔とは反対側と孔側とを連通する連通路を有し筒状部材に固定されたときの筒状部材に対する相対位置により中間部材を介して付勢部材の付勢力を調整可能である。
膨張部材は、中間部材と筒状部材との間に設けられ、孔を通る流体に接触すると膨張し中間部材と筒状部材とに当接可能である。